(57)【要約】【課題】【解決手段】複数のヤーンシステムが、互いに独立な構造体を形成しているように配置されており、これら構造体は、複数の結合ヤーン（５）によって互いに結合されており、これら結合ヤーン（５）は、ペーパー側の面の層のウィーブの一部分を形成しているように配置され、装置側の面の層の少なくとも１つのヤーンの下側に織り込まれているように配置されている抄紙装置用織物。前記ペーパー側の面を形成している前記ヤーンシステムは、置換ヤーン（６）を有しており、この置換ヤーンの両側に、前記結合ヤーンが、織り込まれている。前記ペーパー側の面で、前記置換ヤーン（６）は、２つの前記結合ヤーンにより形成されている２つのヤーンパスを、２つの前記結合ヤーンが、前記装置側の面に織り込まれている位置において、置換しているように配置されている。
2004518833.tif 000002
【特許請求の範囲】
【請求項１】
互いに分離されている少なくとも２つのヤーンシステムを使用して形成され、互いに分離されている少なくとも２つの層を具備しており、前記ヤーンシステムの１つは、ペーパー側の面を形成し、装置の方向及び装置を横切る方向のヤーンを有しており、また、前記ヤーンシステムの他の１つは、装置側の面を形成し、装置の方向及び装置を横切る方向のヤーンを有しており、そして、これら前記ヤーンシステムは、織物の装置の方向及び装置を横切る方向の互いに独立している複数の構造体を形成しているように配置されており、これら構造体は、結合ヤーン（５）によって互いに結合されており、また、この結合ヤーン（５）は、ペーパー側の表面の前記層のウィーブの一部分を形成しているように配置され、かつ、前記装置側の面の前記層の、少なくとも１つのヤーンの下側に織り込まれていることによって前記装置側の面の前記層に織り込まれているように配置されている、抄紙装置用織物において、前記ペーパー側の面を形成している前記ヤーンシステムは、置換ヤーン（６）を有しており、この置換ヤーンの両側で、前記結合ヤーンが、織られており、また、前記ペーパー側の面で、前記置換ヤーン（６）は、２つの前記結合ヤーンにより形成されている２つのヤーンパスを、２つの前記結合ヤーンが、前記装置側の面に織り込まれている位置において、置換しているように配置されていることを特徴とする抄紙装置用織物。
【請求項２】
前記置換ヤーン（６）は、置換緯糸であり、また、前記結合ヤーン（５）は、結合緯糸であることを特徴とする請求項１の抄紙装置用織物。
【請求項３】
前記置換ヤーン（６）は、置換経糸であり、また、前記結合ヤーン（５）は、結合経糸であることを特徴とする請求項１の抄紙装置用織物。
【請求項４】
前記置換緯糸（６）に加えて、ペーパー側の前記表面は、少なくとも１つの頂部緯糸（２）を有していることを特徴とする請求項２の抄紙装置用織物。
【請求項５】
前記置換緯糸（６）に加えて、ペーパー側の前記表面は、１つの頂部緯糸（２）を有していることを特徴とする請求項２の抄紙装置用織物。
【請求項６】
前記置換緯糸（６）と前記頂部緯糸（２）との曲げ剛性は、互いに等しいことを特徴とする請求項４の抄紙装置用織物。
【請求項７】
前記置換緯糸（６）と前記頂部緯糸（２）との曲げ剛性は、互いに等しくないことを特徴とする請求項４の抄紙装置用織物。
【請求項８】
織物内の、前記置換ヤーン（６）の近くの複数の前記結合ヤーン（５）の移動パスが、互いに同様であることを特徴とする請求項１の抄紙装置用織物。
【請求項９】
織物内の、前記置換ヤーン（６）の近くの複数の前記結合ヤーン（５）の移動パスが、互いに異なっていることを特徴とする請求項１の抄紙装置用織物。
【請求項１０】
前記結合ヤーン（５）は、ペーパー側の前記表面で３つの結合ポイントを有していることを特徴とする請求項８の抄紙装置用織物。
【請求項１１】
前記頂部緯糸（２）の結合が、ペーパー側の前記表面で前記置換緯糸（６）と複数の前記結合緯糸（５）との共同により形成されている緯糸パスの結合と同様であることを特徴とする請求項４の抄紙装置用織物。
【請求項１２】
前記頂部緯糸（２）の結合が、ペーパー側の前記表面で前記置換緯糸（６）と複数の前記結合緯糸（５）との共同により形成されている緯糸パスの結合と異なっていることを特徴とする請求項４の抄紙装置用織物。
【請求項１３】
ペーパー側の前記表面は、平織のヤーンパスを有していることを特徴とする請求項１の抄紙装置用織物。
【請求項１４】
ペーパー側の前記表面の前記置換ヤーン（６）の結合ポイントの個数は、ペーパー側の前記表面の、近くの前記結合ヤーン（５）の結合ポイントの個数と同じである又は異なっていることを特徴とする請求項１の抄紙装置用織物。
【請求項１５】
前記置換緯糸（６）の本数は、前記頂部緯糸（２）の本数に等しく、また、底部緯糸（４）の本数が、前記置換緯糸（６）と前記頂部緯糸（２）との本数の合計に等しいことを特徴とする請求項４の抄紙装置用織物。
【請求項１６】
前記置換緯糸（６）と複数の前記結合ヤーン（５）とによって形成されている緯糸パスが、前記結合ヤーン（５）の３つの結合ポイントと前記置換緯糸（６）の２つの結合ポイントとを有しているように配置されていることを特徴とする請求項１５の抄紙装置用織物。
【請求項１７】
前記結合ヤーン（５）は、１０枚織を使用して、前記底部緯糸の下側に織り込まれており、また、前記底部緯糸（４）は、５枚朱子織を使用して、底部経糸（３）に織り込まれていることを特徴とする請求項１６の抄紙装置用織物。
【請求項１８】
前記置換経糸に加えて、ペーパー側の前記表面は、少なくとも１つの頂部経糸（１）を有していることを特徴とする請求項３の抄紙装置用織物。
【発明の詳細な説明】
【０００１】
【発明の属する技術分野】
本発明は、互いに分離されている少なくとも２つのヤーンシステムを使用して形成され、互いに分離されている少なくとも２つの層を具備しており、前記ヤーンシステムの１つは、ペーパー側の面を形成し、装置の方向及び装置を横切る方向のヤーンを有しており、また、前記ヤーンシステムの他の１つは、装置側の面を形成し、装置の方向及び装置を横切る方向のヤーンを有しており、そして、これら前記ヤーンシステムは、織物の装置の方向及び装置を横切る方向の互いに独立している複数の構造体を形成しているように配置されており、これら構造体は、結合ヤーンによって互いに結合されており、また、この結合ヤーンは、ペーパー側の表面の前記層のウィーブの一部分を形成しているように配置され、かつ、前記装置側の面の前記層の、少なくとも１つのヤーンの下側に織り込まれていることによって前記装置側の面の前記層に織り込まれているように配置されている、抄紙装置用織物に関する。
【０００２】
【従来の技術】
従来の３層の抄紙装置用織物は、互いに分離されている２つの層、即ち、ペーパー側の層と装置側の層とを有している。これらペーパー側の層と装置側の層とは、主に、結合ヤーンとして働く結合緯糸によって互いに結合されている。結合ヤーンを使用した結合は、通常、４つおきの、頂部ヤーンと底部ヤーンとの組毎に行われており、即ち比較的疎である。頂部側で、結合は、１つの頂部経糸の上側で行われており、また、底部側で、結合は、１つの底部経糸の下側で行われている。前記結合ヤーンは、ペーパー側の表面の形成に寄与しておらず、前記層の結合のみに寄与している。従って、前記ペーパー側の層と前記装置側の層とは、互いに充分強く結合されていない。これは、織物内で「内部磨耗」を引き起こす。内部磨耗は、内部層がこすり合わされることによって生じる磨耗を示している。
【０００３】
【発明が解決しようとする課題】
上述した内部層の磨耗の結果、ヤーンは、前記結合ヤーンと前記経糸ヤーンとの交差位置で磨耗され、その後、織物がゆるむと、ヤーンは、互いに対して徐々に動き始め、ペーパー側と装置側との本来の構造体が、磨耗される。織物の内部磨耗により、織物が、内部の本来の厚さを失っている一方で、前記結合ヤーンは、本来の長さを維持しているから、前記結合ヤーンは、ペーパーの表面にマーキング（ｍａｒｋｉｎｇ）を生じるようになる。また、充分増大された内部磨耗によって、複数の前記層は、互いに分離し始め得る。
【０００４】
前記結合ヤーンは、前記ペーパー側の面で織り込まれている経糸を僅かに内側に引っ張っている。この結果のくぼみは、マーキングを生じる。また、前記結合ヤーンは、構造体内のこの位置に、追加の浮き編を形成している。従って、織物は、この位置で密度がより大きく、ペーパーウェブから除去されている水は、織物を均一には通過し得ず、この結果、マーキングを生じる。
【０００５】
従来の三層織物で、ペーパー側の面の結合ヤーンは、マーキングを生じないように、好ましくは表面の少し下に配置されている。結合ポイント（ｂｉｎｄｉｎｇ  ｐｏｉｎｔ）によって生じるマーキングを可能な限り少なくするように、前記結合ヤーンは、頂部緯糸よりも細いヤーンであるべきである。前記結合ヤーンは、現状（現在の直径、例えば０．１３ｍｍ）より容易には細くされ得ないため、前記頂部緯糸も、現状（現在の直径、例えば０．１５ｍｍ）より細くされ得ず、このことは、前記頂部緯糸の密度は、透過率を減少することなしに増大され得ないことを意味しており、この結果、ペーパーファイバーのサポート（ｓｕｐｐｏｒｔ）は、特に、高い透過率を有している場合、低いままである。
【０００６】
結合ヤーンの組で互いに結合されている複数の構造体も、本技術分野で知られている。例えば米国特許４，５０１，３０３号、５，９６７，１９５号、並びに、５，８２６，６２７号が、１組の結合ヤーンを使用して構造体を結合しているように利用される技術を開示している。１組の結合ヤーンで互いに結合されている複数の構造体で、１つの結合ヤーンに代わって、複数の層を互いに結合するのは、１組の結合ヤーンである。この１組の結合ヤーンは、互いに近くにある２つの結合ヤーンを有しており、一方の結合ヤーンは、ペーパー側の表面のウィーブを形成しており、同時に、他方は、装置側の面の、１つの底部ヤーンの下側で、ペーパー側の層と装置側の層とを互いに結合しており、また、逆の場合も同じである。ペーパー側の前記表面での前記１組の結合ヤーンのジグザグは、頂部緯糸と同様な緯糸パスを形成している。一方の結合ヤーンが、複数の前記層を互いに結合するように織物内でペーパー側から下っており、かつ、他方の結合ヤーンが、ペーパー側の前記表面を形成するように織物内で上がっている位置で、前記１組の結合ヤーンの複数のヤーンは、互いに交差している。この交差は、結合ヤーンが、直線状に進むのを妨げており、これは、前記１組の結合ヤーンで形成されているペーパー側の面の緯糸パスが、本来の前記頂部緯糸で形成されている緯糸パスほどまっすぐではないことを意味している。
【０００７】
前記交差の両側に配置されている前記頂部緯糸は、この交差において前記頂部経糸のヤーンを下方に押圧しており、同時に、前記１組の結合ヤーンの両方のヤーンは、織物中に下っており、前記頂部経糸のヤーンを下から支持していない。この結果、交差位置は、表面より下方の面に位置しており、マーキングを生じる。これは、米国特許５，９６８，１９５号で開示されている。
【０００８】
１組の結合ヤーンを使用して互いに結合されている複数の構造体で、この１組の結合ヤーンは、２つのヤーンを有しており、１つのヤーンは、頂部緯糸を構成している。典型的に、前記頂部緯糸と前記結合ヤーンとは、同じ直径を有している。これは、前記結合ヤーンの組の位置での排水容量（ｗａｔｅｒ  ｄｒａｉｎａｇｅ  ｃａｐａｃｉｔｙ）が、前記頂部緯糸の位置での排水容量と異なっていることを意味しており、これは、最悪の場合、ペーパーのマーキングの形態で表れ得る。排水容量を確保するように、織物は、通常、比較的粗くなければならない。
【０００９】
最も一般的な、１組の結合ヤーンを使用して結合されている複数の構造体で、１つの底部緯糸が、前記頂部緯糸の位置に与えられているが、前記１組の結合ヤーンの位置には与えられておらず、従って、装置側の面の底部緯糸の数は、ペーパー側の面の緯糸パスの数の半分であり、これは、装置側にはあまり材料が織り込まれていないことを意味しており、この結果、対磨耗性は、小さくなっている。大きな対磨耗性が、達成されている場合、前記装置側の面の密度は、前記ペーパー側の面の密度と同じ、又は、ほぼ同じである。前記装置側の面の密度と前記ペーパー側の面の密度とが、同一である場合、緯糸の密度は、排水容量を確保するために小さくなければならず、この結果、ペーパーファイバーのサポートは、小さくなっている。
【００１０】
最も一般的な、１組の結合ヤーンを使用して互いに結合されている複数の構造体で、前記１組の結合ヤーンのヤーンは、１つおきの頂部経糸に織り込まれており、また、頂部緯糸は、１つおきの頂部経糸に織り込まれている。従って、１つおきの頂部経糸は、異なった方法で織り込まれており、表面に対して僅かに異なった平面に位置している。マーキングの影響を最も受けやすい等級のペーパーで、これは、緯糸の方向のマーキングの形態で表れ得る。
【００１１】
【課題を解決するための手段】
本発明の目的は、従来技術の欠点を軽減することが可能である抄紙装置を与えることであり、これは、本発明の抄紙装置用織物によって達成されており、この抄紙装置用織物は、ペーパー側の面を形成しているヤーンシステムが、置換ヤーン（ｓｕｂｓｔｉｔｕｔｅ  ｙａｒｎ）を有しており、この置換ヤーンの両側で、前記結合ヤーンが、織られており、また、前記ペーパー側の面で、前記置換ヤーンは、２つの前記結合ヤーンにより形成されている２つのヤーンパスを、２つの前記結合ヤーンが、装置側の面に織り込まれている位置において、置換しているように配置されていることを特徴とする。
【００１２】
本発明の利点は、例えば、前記結合ヤーンは、複数の前記層を互いに結合しているだけでなく、結合に加えて、複数の頂部経糸に織り込まれていることによって、ペーパー側の表面の形成にも寄与していることであり、これは、結合ヤーンが、従来の三層織物内よりも密に織り込まれていることを可能にしている。この結果、結合は、強く、複数の前記層が、互いに移動するのを妨げている。前記結合ヤーンが、ペーパー側の前記表面の形成に寄与している場合、典型的な従来の三層織物で結合ヤーンによって生じるマーキングが、排除されている。同じ特性は、また、すぐれたペーパーファイバーのサポートが、この構造体で達成されることを可能にしている。この利点は、装置を横切る方向のヤーンが、充分な透過率を達成するように減少されなければならない比較的高い透過率において特に重要である。
【００１３】
１組の結合ヤーンを使用して互いに結合されている複数の構造体で、複数の前記結合ヤーンの交差位置に配置されている頂部経糸は、下から少ししか支持されておらず、これは、この位置で、前記頂部経糸は、周囲の構造体と比較してより下方の平面に位置しており、この特定の位置は、ペーパーのマーキングを生じることを意味している。本発明の構造において、ペーパー側の面で、結合ヤーンが、結合のために装置側に下がっている位置で、置換ヤーンは、前記特定の位置を周囲の構造体と同じ平面まで引き上げているような、充分な支持を与えている橋状構造体を形成しており、この結果、マーキングを、生じない。
【００１４】
本発明の構造は、構造体を締めている結合ヤーンの組を有していないため、織物の密度が、過度に増大されることなく、底部側の面の緯糸の密度は、増大され得、従って、比較的多くの材料が、装置側の面に与えられ得、そして、より大きな対磨耗性が、織物について達成され得る。
【００１５】
【発明の実施の形態】
以下で、本発明は、図面で示されている実施形態によって、詳細に示されている。
図は、本発明の抄紙装置用織物の実施形態を示している。本発明の抄紙装置用織物が、例えば頂部経糸システムと底部経糸システムとのような、装置の方向の少なくとも２つのヤーンシステムと、例えば頂部緯糸システムと底部緯糸システムとのような、装置を横切る方向の少なくとも２つのヤーンシステムとを有している。織物構造体は、結合ヤーンシステムをさらに有している。
【００１６】
前記頂部経糸システム及び前記頂部緯糸システムは、ペーパー側の面を形成している層を形成しており、同様に、前記底部経糸システム及び前記底部緯糸システムは、装置側の面を形成している層を形成している。図で、頂部経糸は、参照符号１で参照されており、また、頂部緯糸は、参照符号２で参照されている。図で、底部経糸は、参照符号３で参照されており、また、底部緯糸は、参照符号４で参照されている。ペーパー側の面を形成している前記層と装置側の面を形成している前記層とは、結合ヤーンシステムを使用して、互いに結合されている。図で、結合ヤーンは、参照符号５で参照されている。ペーパー側の表面で、１つの前記結合ヤーン（５）は、前記層のウィーブの一部分を形成し、少なくとも１つの前記底部経糸３の下側に織り込まれていることによって、複数の前記層を互いに結合しているように、前記装置側の面に出入りしている。
【００１７】
本発明の基礎となっている思想に従い、前記ペーパー側の面を形成しているヤーンシステムは、置換ヤーン６、図の実施形態では置換緯糸６を有しており、この置換緯糸６の両側で、前記結合ヤーン５が、織られている。前記ペーパー側の面で、１つの前記置換ヤーン６は、上述した２つの結合ヤーン５によって形成されている２つのヤーンパス、図の実施形態では緯糸パスを、上述した２つの結合ヤーンが、前記装置側の面に織り込まれている位置で、置換しているように配置されている。
【００１８】
即ち、前記ペーパー側の面で、上述した置換緯糸６は、置換緯糸の両側で織られている結合ヤーンによって形成されている緯糸パスを、前記結合ヤーン５が、前記装置側の面に織り込まれている位置で、置換している。従って、複数の前記結合ヤーン５と、これらの間で織られている前記置換ヤーン６とは、ペーパー側の前記表面で、本来の頂部緯糸２の緯糸パスと同様な２つの緯糸パスを形成している。即ち、２つの前記結合ヤーン５と、これらの間で織られている前記置換ヤーン６とは、ペーパー側の前記表面で２つの緯糸パスを形成している。これは、図１で明らかに図示されている。織物内の前記置換ヤーン６の近くの前記結合ヤーン５の複数の移動パスは、互いに同様であり得又は異なり得る。織物のペーパー側の前記表面の前記置換ヤーン６の結合ポイントの個数は、ペーパー側の前記表面の、近くの前記結合ヤーン５の結合ポイントの個数と同じであり得又は相違し得る。
【００１９】
前記頂部緯糸システムは、少なくとも１種類の頂部緯糸を有している。１つの頂部緯糸のみが、存在している場合、それは、前記置換緯糸６である。しかしながら、図は、前記頂部緯糸システムが、本来の頂部緯糸２と前記置換緯糸６との両方を有している実施形態を示している。前記頂部緯糸２の結合は、ペーパー側の前記表面の前記置換ヤーン６と複数の前記結合ヤーン５との共同により形成されている緯糸パスの結合と同様であり得又は異なり得る。
【００２０】
図で示されている本発明の実施形態のペーパー側の表面で、前記頂部緯糸２、前記結合ヤーン５、並びに、前記置換ヤーン６及び複数の前記結合ヤーン５は、織物を規則正しく反復して通過しているヤーンのグループを構成している。前記頂部緯糸２は、平織を使用して織り込まれている。例えば図３及び５で示されているように、前記結合ヤーン５は、平織を使用して、ペーパー側の前記表面に織り込まれており、１つの前記底部経糸３の下側に織り込まれていることによって、複数の前記層を互いに結合しているように下っている。前記ペーパー側の面で、前記置換緯糸６は、前記結合ヤーン５が、前記装置側の面に織り込まれているところで、前記結合ヤーン５によって形成されている緯糸パスを置換している。上述したように、前記置換ヤーン６と２つの前記結合ヤーン５とは、ペーパー側の前記表面で２つの平織緯糸パスを形成している。この実施形態で、前記底部緯糸のウィーブは、５枚朱子織（５−ｓｈｅｄ  ｓａｔｉｎ）である。この実施形態で、前記結合ヤーンのウィーブは、１０枚織（１０−ｓｈｅｄ）である。
【００２１】
前記置換緯糸６は、ペーパー側の前記層のみに織り込まれているため、１組の結合ヤーンを使用して互いに結合されている複数の構造体内の結合ヤーンの組によって形成されているのと同様な前記結合ヤーン５との交差を形成しない。即ち、前記置換緯糸６は、置換緯糸６自身と、その両側に配置されている複数の前記結合ヤーン５とによって形成されている緯糸パスを置換するように、適切な位置に容易に配置されている。この構造のため、前記置換緯糸６と複数の前記結合ヤーン５とによって形成されている緯糸パスは、まっすぐである。全ての緯糸パスが、まっすぐである場合、ペーパー側の前記表面に表れている開口は、可能な限り等しいサイズにされ得る。これは、織物全体のペーパー側の前記表面で、ペーパーファイバーのための充分で均一なサポートを保証する。この構造のさらなる利点は、排水システムの毛管が、均一なサイズ及び形状を有し、このため、制御されている均一な排水が、達成され得ることである。これら構造特性のため、ペーパーは、充分な形成（ｇｏｏｄ  ｆｏｒｍｉｎｇ）及び均一な表面を与えられる。
【表１】
2004518833.tif 000003
【００２２】
表が、本発明の解決手段と、比較される従来の三層織物構造及び１組の結合ヤーンを使用して結合されている構造とを示している。本発明の構造は、従来の三層織物構造と、１組の結合ヤーンを使用して結合されている構造との有利な特性を組み合わせたものとなっている。本発明の構造は、従来の三層織物構造と同様な対磨耗性を達成し得、１組の結合ヤーンを使用して結合されている構造より明らかに大きな対磨耗性を達成し得る。これは、底部緯糸の密度によって表されている。ファイバーサポート指数（Ｆｉｂｒｅ  Ｓｕｐｐｏｒｔ  ｉｎｄｅｘ、ＦＳＩ）は、織物によって与えられた、ペーパーファイバーについてのサポートのレベルを示している。Ｓ指数は、平方センチメートル毎の前記ペーパー側の面のヤーンの数を示している。本発明の構造によって達成されているファイバーサポートは、１組の結合ヤーンを使用して結合されている構造によって達成されたファイバーサポートと同程度に充分であり、従来の三層織物構造によって達成されたファイバーサポートよりも明らかにより充分である。
【００２３】
結合ヤーンが、１つおきの頂部経糸に織り込まれており、また、頂部緯糸が、１つおきの頂部経糸に織り込まれている、最も一般的な、１組の結合ヤーンを使用して互いに結合されている複数の構造体と異なり、本発明の構造で、前記結合ヤーン５と前記頂部緯糸２とは、各頂部経糸１に織り込まれている。本発明の構造で、実施されている結合方法のために、全ての前記頂部経糸１は、表面に対して同一の平面内に配置されており、緯糸方向のマーキングを生じない。
【００２４】
本発明の構造は、また、最も一般的な、１組の結合ヤーンを使用して互いに結合されている複数の構造体よりもより大きな対磨耗性を有し、同じ透過率を有している。例えば、１０の緯糸パスが、ペーパー側の前記表面に与えられている場合、本発明の構造は、３０のヤーンを必要とするのに対して、１組の結合ヤーンを使用して結合されている構造は、５０のヤーンを必要とする。本発明の構造で、この利点は、同様な透過率を有する、１組の結合ヤーンを使用して互いに結合されている複数の構造体の場合よりも多くの緯糸ヤーンが、前記装置側の面に織り込まれていることを可能にしている。即ち、底部側の面は、より多くの織り込まれているヤーン材を与えられ得、これは、より大きな対磨耗性を意味している。
【００２５】
図７及び９は、本発明の解決手段の別の実施形態を示している。図７ないし９で、構造は、大部分について、図３ないし６の上述した実施形態と同様な方法で示されている。図７ないし９で、同じ参照符号は、図１ないし６の対応している部材を示している。図７ないし９の実施形態で、結合ヤーン５のジグザグは、図１ないし６での適用と異なっており、その上、図７ないし９の実施形態で、１つの底部経糸３は、２つの頂部経糸１に対応している。図７ないし９の実施形態で、置換緯糸６の近くの結合ヤーンの複数の移動パスは、互いに異なっている。
【００２６】
上述された実施形態は、本発明を限定するようにまったく意図されておらず、本発明は、特許請求の範囲内で自由に改良され得る。従って、本発明の抄紙装置用織物又はその詳細部分は、図で示されているものと必ずしも同一である必要はなく、他の解決手段も、実施可能であることが明らかである。互いに分離されている複数の層は、非常に自由に形成され得、即ち、ヤーンシステムの数は、変化され得、ここで、重要な点は、少なくとも２つの経糸システム、即ち、底部経糸システムと頂部経糸システムとが存在することである。同様に、緯糸システムの数は、変化され得、ここで、重要な点は、少なくとも２つの緯糸システム、即ち、頂部緯糸システムと底部緯糸システム等とが存在することである。上述した本発明の構造は、３層の構造であるが、他の多層構造体が、本発明の範囲内で実施可能である。ペーパー側の表面で、平織の代わりに、朱子織又は斜文織のような、他の織り方も、使用され得る。底部緯糸と結合ヤーンとのウィーブも、本発明の基礎となる思想の範囲内で自由に変化され得る。本発明の基礎となる思想において、頂部緯糸が完全に欠けている構造、即ち、ペーパー側の面が、置換緯糸のみによって与えられている構造体が、可能であることにさらに言及しておく。他方、頂部緯糸の数が、置換緯糸の数よりも多い構造体を形成することも完全に実施可能であり、即ち、頂部緯糸の数は、変化され得、例えば０、１、２、３等である。底部緯糸の数は、頂部緯糸と置換緯糸との合計の数と相違し得る。底部経糸に対する頂部経糸の比は、通常１：１であるが、異なったものであり得る。ヤーンの直径は、例えば以下のようであり得る。頂部経糸０．１２ないし０．１５、底部経糸０．１７ないし０．２１、置換緯糸０．１０ないし０．１６、頂部緯糸０．１０ないし０．１６、結合ヤーン０．１０ないし０．１６、並びに、底部緯糸０．１７ないし０．３０。上述した値は、ミリメーターで与えられている。しかしながら、ヤーンの直径は、上で開示されたもの以外であり得る。上述された解決手段は、円形断面のポリエステル及びポリアミドのヤーンを利用した。他の可能なヤーン材は、例えば、ポリエチレンナフタレート（ＰＥＮ）及びポリエチレン硫化物（ＰＰＳ）である。ヤーンの断面は、また、フラット（ｆｌａｔ）又は楕円形であり得る。ヤーンの特性は、織物の特性に影響を与える。例えば、小さな曲げ剛性の置換緯糸を選択していることにより、ペーパー側の面の置換緯糸の結合ポイントは、結合ヤーンと置換緯糸とによって形成されているパス内の適切な位置に容易に配置されており、これは、パスが、可能な限りまっすぐであることを意味している。置換緯糸と頂部緯糸との曲げ剛性は、互いに等しい又は等しくないことが可能である。
【００２７】
上述された構造で、結合は、緯糸方向で行われている。しかしながら、これは、唯一の解決手段ではない。経糸方向で結合が行われている構造も、実施可能であり、この場合、この構造は、少なくとも１つの結合経糸と、置換経糸と、底部経糸と、頂部緯糸と、底部緯糸とを有している。従って、置換ヤーンは、置換緯糸、あるいは、置換経糸であり得る。
【図面の簡単な説明】
【図１】
図１は、ペーパー側から見た本発明の抄紙装置用織物の図である。
【図２】
図２は、装置側から見た図１の抄紙装置用織物の図である。
【図３】
図３は、図１の矢印ＩＩＩ−ＩＩＩに従って見た図である。
【図４】
図４は、図１の矢印ＩＶ−ＩＶに従って見た図である。
【図５】
図５は、図１の矢印Ｖ−Ｖに従って見た図である。
【図６】
図６は、図１の矢印ＶＩ−ＶＩに従って見た図である。
【図７】
図７は，本発明の別の実施形態の図であり、図３と同様な方法で構造を示している。
【図８】
図８は，本発明の別の実施形態の図であり、図４と同様な方法で構造を示している。
【図９】
図９は，本発明の別の実施形態の図であり、図５と同様な方法で構造を示している。
【図１】
2004518833.tif 000004
【図２】
2004518833.tif 000005
【図３】
2004518833.tif 000006
【図４】
2004518833.tif 000007
【図５】
2004518833.tif 000008
【図６】
2004518833.tif 000009
【図７】
2004518833.tif 000010
【図８】
2004518833.tif 000011
【図９】
2004518833.tif 000012
【国際公開パンフレット】
2004518833.tif 000013
2004518833.tif 000014
2004518833.tif 000015
2004518833.tif 000016
2004518833.tif 000017
2004518833.tif 000018
2004518833.tif 000019
2004518833.tif 000020
2004518833.tif 000021
2004518833.tif 000022
2004518833.tif 000023
2004518833.tif 000024
2004518833.tif 000025
2004518833.tif 000026
2004518833.tif 000027
2004518833.tif 000028
2004518833.tif 000029
【国際公開パンフレット（コレクトバージョン）】
2004518833.tif 000030
2004518833.tif 000031
【国際調査報告】
2004518833.tif 000032
2004518833.tif 000033